(57)【要約】【課題】第１レンズに入射されるレーザ光の光軸に対して垂直な面内における第１レンズの位置を調整することが可能であり、かつ、その調整作業が複雑化するのを抑制することが可能な光ピックアップ装置を提供する。【解決手段】光ピックアップ装置１００は、ＢＤ用の光学系５のコリメータレンズ５ｃと、コリメータレンズ５ｃを保持するレンズホルダ１６と、コリメータレンズ５ｃにレーザ光を出射する半導体レーザ１と、コリメータレンズ５ｃに入射されるレーザ光の光軸に対して垂直な面内において、レンズホルダ１６の位置を調整する調整機構２０とを備えている。そして、調整機構２０は、レンズホルダ１６を付勢する板ばね部材２２と、板ばね部材２２による付勢力に抗してレンズホルダ１６の位置を調整するための調整ねじ２３ａおよび２３ｂとを含んでいる。【選択図】図２
2009116988.tif 000002
【特許請求の範囲】
【請求項１】
第１の光学系を構成する第１レンズと、
前記第１レンズを保持する第１レンズ保持部材と、
前記第１レンズにレーザ光を出射する光源と、を備えた光ピックアップ装置において、
前記第１レンズに入射されるレーザ光の光軸に対して垂直な面内において、前記第１レンズ保持部材の位置を調整する調整機構をさらに備え、
前記調整機構は、前記第１レンズ保持部材を付勢する付勢部材と、前記付勢部材による付勢力に抗して前記第１レンズ保持部材の位置を調整するための調整ねじとを含むことを特徴とする光ピックアップ装置。
【請求項２】
請求項１に記載の光ピックアップ装置において、
前記第１の光学系とは異なる第２の光学系を構成する第２レンズと、
前記第２レンズを保持するとともに、前記調整機構が設けられた第２レンズ保持部材と、をさらに備え、
前記光源は、前記第２レンズにレーザ光を出射する機能を有するとともに、前記第２レンズに入射されるレーザ光の光軸の位置を調整可能に設けられていることを特徴とする光ピックアップ装置。
【請求項３】
請求項２に記載の光ピックアップ装置において、
前記調整機構は、前記第１レンズ保持部材を前記第１レンズに入射されるレーザ光の光軸と直交する第１方向に移動可能に保持する保持部材を含み、
前記調整機構の保持部材は、前記第１方向に移動可能に保持する前記第１レンズ保持部材と伴に、前記第１レンズに入射されるレーザ光の光軸および前記第１方向と直交する第２方向に移動可能に構成されていることを特徴とする光ピックアップ装置。
【請求項４】
請求項３に記載の光ピックアップ装置において、
前記付勢部材は、前記保持部材を前記第２レンズ保持部材に、前記第２方向に移動可能に取り付けるための取付部を含むことを特徴とする光ピックアップ装置。
【請求項５】
請求項３または請求項４に記載の光ピックアップ装置において、
前記付勢部材は、前記第２レンズ保持部材に取り付けられるとともに、前記第２レンズ保持部材に対する位置決めを行うための位置決め部を含むことを特徴とする光ピックアップ装置。
【請求項６】
請求項１ないし請求項５のいずれかに記載の光ピックアップ装置において、
前記調整ねじは、前記付勢部材と対向する側から締め具合を直接調整可能に構成されていることを特徴とする光ピックアップ装置。
【発明の詳細な説明】
【技術分野】
【０００１】
本発明は、レンズを備えた光ピックアップ装置に関するものである。
【背景技術】
【０００２】
従来、レンズと、レンズにレーザ光を出射する光源とを備え、レンズに入射されるレーザ光の光軸に対するレンズの傾きを調整可能な光ピックアップ装置が知られている（たとえば、特許文献１〜３参照）。
【０００３】
上記特許文献１および２に開示された光ピックアップ装置には、レンズを保持するレンズ保持部材が設けられるとともに、このレンズ保持部材には、球面状の凸部が形成されている。また、光ピックアップ装置には、レンズ保持部材の凸部が配置される球面状の凹部が設けられている。このため、光ピックアップ装置は、レンズ保持部材の凸部を摺動させることにより、レンズの傾きを調整可能に構成されている。したがって、光ピックアップ装置は、レンズに入射されるレーザ光の光軸に対するレンズの傾きを調整可能に構成されている。
【０００４】
また、上記特許文献３に開示された光ピックアップ装置は、光源が設けられたハウジングを有するとともに、このハウジングには、球面状の凸部が形成されている。また、光ピックアップ装置には、ハウジングの凸部が配置される球面状の凹部が設けられている。このため、光ピックアップ装置は、ハウジングの凸部を摺動させることにより、レンズに入射されるレーザ光の傾きを調整可能に構成されている。したがって、光ピックアップ装置は、レンズに入射されるレーザ光の光軸に対するレンズの傾きを調整可能に構成されている。
【０００５】
しかしながら、上記特許文献１〜３に開示された光ピックアップ装置では、凹部に配置された凸部が摺動しているので、レンズに入射されるレーザ光の光軸に対して垂直な面内におけるレンズの位置を調整することが困難であるという不都合があった。
【０００６】
そこで、従来では、上記のような不都合を解消するために、レンズ（第１レンズ）と、レンズにレーザ光を出射する光源とを備え、レンズに入射されるレーザ光の光軸に対して垂直な面内におけるレンズの位置を調整可能な光ピックアップ装置が提案されている（たとえば、特許文献４参照）。
【０００７】
上記特許文献４に開示された光ピックアップ装置では、レンズを保持するレンズホルダ（第１レンズ保持部材）が支持プレートと押さえ板とにより挟持されている。そして、光ピックアップ装置は、支持プレートの位置を調整することにより、レンズに入射されるレーザ光の光軸に対して垂直な面内におけるレンズの位置を調整可能に構成されている。具体的には、支持プレートは、薄板材を介してレンズホルダ取付部にプレート取付ねじにより取り付けられており、薄板材の数とプレート取付ねじの締め具合とにより位置が調整されている。
【０００８】
【特許文献１】特開２００６−４８７８１号公報
【特許文献２】特開２００７−１４１３５９号公報
【特許文献３】特開２００５−７１４６９号公報
【特許文献４】特開２００６−１７２６６６号公報
【発明の開示】
【発明が解決しようとする課題】
【０００９】
しかしながら、上記特許文献４で提案された光ピックアップ装置では、レンズ（第１レンズ）に入射されるレーザ光の光軸に対して垂直な面内におけるレンズの位置を調整することが可能であるが、支持プレートとレンズホルダ取付部との間に配置する薄板材の数と、プレート取付ねじの締め具合とを調整する必要があるので、レンズの位置を調整する作業が複雑になるという問題点がある。
【００１０】
本発明は、上述した課題を解決するものであって、その目的とするところは、第１レンズに入射されるレーザ光の光軸に対して垂直な面内における第１レンズの位置を調整することが可能であり、かつ、その調整作業が複雑化するのを抑制することが可能な光ピックアップ装置を提供することである。
【課題を解決するための手段】
【００１１】
本発明の光ピックアップ装置は、第１の光学系を構成する第１レンズと、第１レンズを保持する第１レンズ保持部材と、第１レンズにレーザ光を出射する光源とを備えた光ピックアップ装置において、第１レンズに入射されるレーザ光の光軸に対して垂直な面内において、第１レンズ保持部材の位置を調整する調整機構をさらに備え、調整機構は、第１レンズ保持部材を付勢する付勢部材と、付勢部材による付勢力に抗して第１レンズ保持部材の位置を調整するための調整ねじとを含んでいる。なお、レーザ光の光軸に対して垂直な面とは、レーザ光の光軸に対して実質的に垂直な面を含む。
【００１２】
このように構成することによって、特許文献４のように、支持プレートとレンズホルダ取付部との間に配置する薄板材の数と、プレート取付ねじの締め具合とを調整することにより、レンズホルダの位置を調整する場合と異なり、調整ねじの締め具合を調整することのみにより、付勢部材によって付勢された第１レンズ保持部材の位置を調整することができる。これにより、第１レンズに入射されるレーザ光の光軸に対して垂直な面内における第１レンズ保持部材の位置を調整する作業が複雑になるのを抑制することができる。
【００１３】
上記光ピックアップ装置において、第１の光学系とは異なる第２の光学系を構成する第２レンズと、第２レンズを保持するとともに、調整機構が設けられた第２レンズ保持部材とをさらに備え、光源は、第２レンズにレーザ光を出射する機能を有するとともに、第２レンズに入射されるレーザ光の光軸の位置を調整可能に設けられていてもよい。
【００１４】
このように構成することによって、光源の位置を調整することにより、第２レンズに入射されるレーザ光の光軸の位置を調整することができる。このため、第１の光学系とは異なる第２の光学系を構成する第２レンズにおいても、第２レンズに入射されるレーザ光の光軸に対する第２レンズの位置を調整することができる。
【００１５】
上記第２レンズ保持部材を備える光ピックアップ装置において、調整機構は、第１レンズ保持部材を第１レンズに入射されるレーザ光の光軸と直交する第１方向に移動可能に保持する保持部材を含み、調整機構の保持部材は、第１方向に移動可能に保持する第１レンズ保持部材と伴に、第１レンズに入射されるレーザ光の光軸および第１方向と直交する第２方向に移動可能に構成されていてもよい。なお、レーザ光の光軸と直交する第１方向とは、レーザ光の光軸と実質的に直交する方向を含み、レーザ光の光軸および第１方向と直交する第２方向とは、レーザ光の光軸および第１方向と実質的に直交する方向を含む。
【００１６】
このように構成することによって、保持部材を用いて第１レンズ保持部材を第１方向および第２方向に移動させることにより、容易に、第１レンズ保持部材を、第１レンズに入射されるレーザ光の光軸に対して垂直な面内において移動させることができる。
【００１７】
上記調整機構が保持部材を含む光ピックアップ装置において、付勢部材は、保持部材を第２レンズ保持部材に、第２方向に移動可能に取り付けるための取付部を含んでいてもよい。
【００１８】
このように構成することによって、付勢部材の取付部により、保持部材を第２レンズ保持部材に、第２方向に移動可能に取り付けることができるので、保持部材を第２レンズ保持部材に取り付けるための取付部材を別途設ける場合に比べて、部品点数が増加するのを抑制することができる。
【００１９】
上記調整機構が保持部材を含む光ピックアップ装置において、付勢部材は、第２レンズ保持部材に取り付けられるとともに、第２レンズ保持部材に対する位置決めを行うための位置決め部を含んでいてもよい。
【００２０】
このように構成することによって、付勢部材の位置決め部により、第２レンズ保持部材に対する付勢部材の位置決めを行うことができるので、容易に、付勢部材を第２レンズ保持部材に取り付けることができる。
【００２１】
上記光ピックアップ装置において、調整ねじは、付勢部材と対向する側から締め具合を直接調整可能に構成されていてもよい。
【００２２】
このように構成することによって、調整ねじの締め具合を調整するための機構部品を別途設ける必要がないので、その分、部品点数が増加するのを抑制することができる。
【発明の効果】
【００２３】
本発明によれば、第１レンズに入射されるレーザ光の光軸に対して垂直な面内における第１レンズの位置を調整することが可能であり、かつ、その調整作業が複雑化するのを抑制することが可能な光ピックアップ装置を提供することができる。
【発明を実施するための最良の形態】
【００２４】
以下、本発明の実施形態につき、図面を参照しながら説明する。
【００２５】
図１は、本発明の一実施形態による光ピックアップ装置の構成を示した概略図である。まず、図１を参照して、本実施形態による光ピックアップ装置１００の構成について説明する。なお、この光ピックアップ装置１００は、ＨＤ−ＤＶＤ（High  Definition−Digital  Versatile  Disc）およびＢＤ（Blu-ray  Disc；登録商標）に対して、書き込みおよび読み出し可能に構成されている。
【００２６】
本発明の一実施形態による光ピックアップ装置１００は、図１に示すように、波長が約４０５ｎｍの青紫色のレーザ光を出射する半導体レーザ１と、偏光制御板２およびＰＢＳ（偏光ビームスプリッタ）３と、ＨＤ−ＤＶＤ用の光学系４と、ＢＤ用の光学系５とを備えている。なお、半導体レーザ１は、本発明の「光源」の一例であり、ＨＤ−ＤＶＤ用の光学系４およびＢＤ用の光学系５は、それぞれ、本発明の「第２の光学系」および「第１の光学系」の一例である。
【００２７】
偏光制御板２およびＰＢＳ３は、半導体レーザ１から出射されたレーザ光を光学系４および５のいずれに出射するかを切り替えるために設けられている。具体的には、偏光制御板２は、半導体レーザ１から出射されたレーザ光が入射されるとともに、入射されたレーザ光の偏光方向を制御して出射する機能を有する。ＰＢＳ３は、偏光制御板２から出射されたレーザ光が入射されるとともに、入射されたレーザ光を偏光方向に応じて光学系４または５に出射する機能を有する。
【００２８】
ＨＤ−ＤＶＤ用の光学系４は、回折格子４ａと、ＰＢＳ４ｂと、コリメータレンズ４ｃと、ハーフミラー４ｄと、立上ミラー４ｅと、１／４波長板４ｆと、対物レンズ４ｇと、集光レンズ４ｈと、受光部４ｉと、シリンドリカルレンズ４ｊと、受光部４ｋとを含んでいる。
【００２９】
回折格子４ａは、ＰＢＳ３から出射されたレーザ光が入射されるとともに、入射されたレーザ光を３つのビームに分割して出射する機能を有する。
【００３０】
ＰＢＳ４ｂは、回折格子４ａから出射されたレーザ光が入射されるとともに、入射されたレーザ光を透過してコリメータレンズ４ｃに出射する機能を有する。また、ＰＢＳ４ｂは、ＨＤ−ＤＶＤからの反射光が入射されるとともに、入射された反射光を反射してシリンドリカルレンズ４ｊに出射する機能も有する。
【００３１】
コリメータレンズ４ｃは、ＰＢＳ４ｂから入射されるレーザ光を平行光化してハーフミラー４ｄに出射するとともに、ＨＤ−ＤＶＤからの反射光を平行光化してＰＢＳ４ｂに出射する機能を有する。また、コリメータレンズ４ｃは、後述するレンズホルダ１３（図２参照）に保持されるとともに、球面収差を補正するためにＺ方向に移動可能に設けられている。なお、コリメータレンズ４ｃは、本発明の「第２レンズ」の一例である。
【００３２】
ハーフミラー４ｄは、コリメータレンズ４ｃから入射されるレーザ光を透過して集光レンズ４ｈに出射するとともに、コリメータレンズ４ｃから入射されるレーザ光を反射して立上ミラー４ｅに出射する機能を有する。また、ハーフミラー４ｄは、ＨＤ−ＤＶＤからの反射光を反射してコリメータレンズ４ｃに出射する機能も有する。
【００３３】
立上ミラー４ｅは、ハーフミラー４ｄから入射されるレーザ光を反射して１／４波長板４ｆに出射するとともに、ＨＤ−ＤＶＤからの反射光を反射してハーフミラー４ｄに出射する機能を有する。
【００３４】
１／４波長板４ｆは、直線偏光である立上ミラー４ｅから入射されるレーザ光を円偏光に変換して対物レンズ４ｇに出射するとともに、円偏光であるＨＤ−ＤＶＤからの反射光を直線偏光に変換して立上ミラー４ｅに出射する機能を有する。なお、１／４波長板４ｆは、立上ミラー４ｅに出射する反射光の偏光方向を立上ミラー４ｅから入射されるレーザ光の偏光方向と垂直な方向にするために設けられている。
【００３５】
対物レンズ４ｇは、１／４波長板４ｆから入射されるレーザ光をＨＤ−ＤＶＤの記録面に集光するために設けられている。受光部４ｉは、集光レンズ４ｈから入射されるレーザ光を受光するために設けられている。この受光部４ｉは、ＰＤＩＣ（フォトディテクタＩＣ）などからなり、半導体レーザ１から出射されるレーザ光の強度を検出するために設けられている。
【００３６】
シリンドリカルレンズ４ｊは、ＨＤ−ＤＶＤからの反射光を集光する機能を有する。受光部４ｋは、ＨＤ−ＤＶＤからの反射光を受光するために設けられている。この受光部４ｋは、ＰＤＩＣなどからなり、受光した反射光を電気信号に変換する機能を有する。
【００３７】
ＢＤ用の光学系５は、回折格子５ａと、ＰＢＳ５ｂと、コリメータレンズ５ｃと、ハーフミラー５ｄと、１／４波長板５ｅと、対物レンズ５ｆと、集光レンズ５ｇと、受光部５ｈと、シリンドリカルレンズ５ｉと、受光部５ｊとを含んでいる。
【００３８】
回折格子５ａは、ＰＢＳ３から出射されたレーザ光が入射されるとともに、入射されたレーザ光を３つのビームに分割して出射する機能を有する。
【００３９】
ＰＢＳ５ｂは、回折格子５ａから出射されたレーザ光が入射されるとともに、入射されたレーザ光を反射してコリメータレンズ５ｃに出射する機能を有する。また、ＰＢＳ５ｂは、ＢＤからの反射光が入射されるとともに、入射された反射光を透過してシリンドリカルレンズ５ｉに出射する機能も有する。
【００４０】
コリメータレンズ５ｃは、ＰＢＳ５ｂから入射されるレーザ光を平行光化してハーフミラー５ｄに出射するとともに、ＢＤからの反射光を平行光化してＰＢＳ５ｂに出射する機能を有する。また、コリメータレンズ５ｃは、後述するレンズホルダ１６（図２参照）に保持されるとともに、球面収差を補正するためにＺ方向に移動可能に設けられている。なお、コリメータレンズ５ｃは、本発明の「第１レンズ」の一例である。また、Ｚ方向は、コリメータレンズ５ｃに入射されるレーザ光の光軸と実質的に同じ方向である。
【００４１】
ハーフミラー５ｄは、コリメータレンズ５ｃから入射されるレーザ光を透過して集光レンズ５ｇに出射するとともに、コリメータレンズ５ｃから入射されるレーザ光を反射して１／４波長板５ｅに出射する機能を有する。また、ハーフミラー５ｄは、ＢＤからの反射光を反射してコリメータレンズ５ｃに出射する機能も有する。
【００４２】
１／４波長板５ｅは、直線偏光であるハーフミラー５ｄから入射されるレーザ光を円偏光に変換して対物レンズ５ｆに出射するとともに、円偏光であるＢＤからの反射光を直線偏光に変換してハーフミラー５ｄに出射する機能を有する。なお、１／４波長板５ｅは、ハーフミラー５ｄに出射する反射光の偏光方向をハーフミラー５ｄから入射されるレーザ光の偏光方向と垂直な方向にするために設けられている。
【００４３】
対物レンズ５ｆは、１／４波長板５ｅから入射されるレーザ光をＢＤの記録面に集光するために設けられている。受光部５ｈは、集光レンズ５ｇから入射されるレーザ光を受光するために設けられている。この受光部５ｈは、ＰＤＩＣなどからなり、半導体レーザ１から出射されるレーザ光の強度を検出するために設けられている。
【００４４】
シリンドリカルレンズ５ｉは、ＢＤからの反射光を集光する機能を有する。受光部５ｊは、ＢＤからの反射光を受光するために設けられている。この受光部５ｊは、ＰＤＩＣなどからなり、受光した反射光を電気信号に変換する機能を有する。
【００４５】
図２は、本発明の一実施形態による光ピックアップ装置のレンズホルダ駆動部の構造を示した斜視図である。図３〜図５は、図２に示したレンズホルダ駆動部の調整機構の詳細構造を説明するための図である。次に、図２〜図５を参照して、本実施形態によるレンズホルダ駆動部５０の構造について説明する。
【００４６】
本発明の一実施形態による光ピックアップ装置１００（図１参照）に設けられたレンズホルダ駆動部５０は、図２に示すように、ステッピングモータ１０と、ステッピングモータ１０に取り付けられたリードスクリュー１１と、リードスクリュー１１に螺合されたナット部材１２と、ステッピングモータ１０により駆動されるレンズホルダ１３とを備えている。なお、レンズホルダ１３は、本発明の「第２レンズ保持部材」の一例である。
【００４７】
ステッピングモータ１０は、リードスクリュー１１を回転させるために設けられている。ナット部材１２は、リードスクリュー１１と螺合する開口部１２ａを有しており、リードスクリュー１１の回転に伴って、Ｚ方向に移動可能に設けられている。
【００４８】
レンズホルダ１３は、ガイドレール１４ａおよび１４ｂ上に載置されている。このレンズホルダ１３は、シャフト挿入孔１３ａを有しており、シャフト挿入孔１３ａに挿入されたガイドシャフト１５に支持されている。また、レンズホルダ１３には、ナット部材１２と係合する係合部１３ｂが形成されている。これにより、レンズホルダ１３は、ナット部材１２のＺ方向の移動に伴って、Ｚ方向に移動するように構成されている。
【００４９】
ここで、本実施形態では、レンズホルダ１３には、シャフト挿入孔１３ａに対してＸ方向おいて隣接するようにレンズホルダ取付部１３ｃが形成されるとともに、レンズホルダ取付部１３ｃに対してＸ方向において隣接するようにレンズ取付部１３ｄが形成されている。レンズホルダ取付部１３ｃには、コリメータレンズ５ｃを保持するレンズホルダ１６の位置を調整する調整機構２０が設けられており、この調整機構２０によりレンズホルダ１６がレンズホルダ取付部１３ｃに取り付けられている。なお、レンズホルダ１６は、本発明の「第１レンズ保持部材」の一例である。
【００５０】
この調整機構２０は、コリメータレンズ５ｃに入射されるレーザ光の光軸に対して実質的に垂直な面内におけるレンズホルダ１６の位置を調整するために設けられている。レンズ取付部１３ｄには、コリメータレンズ４ｃが取り付けられている。また、コリメータレンズ４ｃに入射されるレーザ光の光軸の位置は、半導体レーザ１（図１参照）の位置を調整することにより、調整されている。
【００５１】
調整機構２０は、図３に示すように、レンズホルダ１６を保持する保持部材２１と、レンズホルダ１６を付勢するための板ばね部材２２と、レンズホルダ１６の位置を調整するための調整ねじ２３ａおよび２３ｂと、板ばね部材２２をレンズホルダ取付部１３ｃに取り付けるための取付ねじ２４とを含んでいる。また、レンズホルダ１３のレンズホルダ取付部１３ｃには、レーザ光を通過させるための開口部１３１ｃと、Ｙ方向に突出する突出部１３２ｃとが形成されている。なお、板ばね部材２２は、本発明の「付勢部材」の一例である。
【００５２】
保持部材２１は、レンズホルダ１６をＹ方向に移動可能に保持するとともに、保持したレンズホルダ１６と伴にＸ方向に移動可能に設けられている。具体的には、保持部材２１は、Ｘ方向に延びる棒状部２１ａと、棒状部２１ａの両端部からそれぞれＺ方向に延びる一対の棒状部２１ｂと、棒状部２１ｂの端部からそれぞれＹ方向に延びる一対のガイド部２１ｃとを有する。なお、Ｙ方向は、Ｚ方向と実質的に直交する方向であり、Ｘ方向は、Ｚ方向およびＹ方向と実質的に直交する方向である。また、Ｘ方向およびＹ方向は、それぞれ、本発明の「第２方向」および「第１方向」の一例である。
【００５３】
棒状部２１ａは、図４に示すように、平面的に見て、レンズホルダ取付部１３ｃの突出部１３２ｃと隣接するように設けられている。一対の棒状部２１ｂ間の距離Ｄ１は、突出部１３２ｃの幅Ｗ１よりも大きくなるように形成されている。これにより、保持部材２１は、棒状部２１ｂが突出部１３２ｃと当接するまで、レンズホルダ取付部１３ｃに対してＸ方向に移動可能に構成されている。なお、距離Ｄ１と幅Ｗ１とを調整することによって、保持部材２１のレンズホルダ取付部１３ｃに対するＸ方向における移動可能な移動量を調整することが可能である。
【００５４】
ガイド部２１ｃは、レンズホルダ１６の側面１６ａをＹ方向（図３参照）にガイドするために設けられている。このため、一対のガイド部２１ｃ間の距離Ｄ２は、レンズホルダ１６の幅Ｗ２よりも若干大きくなるように形成されている。また、ガイド部２１ｃは、レンズホルダ１６の側面１６ａからＸ方向に突出する突出部１６ｂとＺ方向において隣接するように設けられ、レンズホルダ１６の突出部１６ｂは、レンズホルダ取付部１３ｃとＺ方向において隣接するように設けられている。すなわち、棒状部２１ａからガイド部２１ｃまでの距離Ｄ３は、レンズホルダ取付部１３ｃの長さＬ１とレンズホルダ１６の突出部１６ｂの長さＬ２との合計の長さよりも若干大きくなるように形成されている。これにより、レンズホルダ１６は、Ｚ方向における位置が規制されている。
【００５５】
板ばね部材２２は、図３に示すように、レンズホルダ１６をＹ方向（下方）に付勢する板ばね部２２ａと、取付ねじ２４が挿入されるねじ挿入孔２２ｂと、突出部１３２ｃに形成された位置決め突起１３３ｃに挿入される位置決め孔２２ｃと、保持部材２１をレンズホルダ取付部１３ｃに取り付けるための突出部２２ｄとを有する。なお、位置決め孔２２ｃは、本発明の「位置決め部」の一例であり、突出部２２ｄは、本発明の「取付部」の一例である。
【００５６】
板ばね部２２ａは、図４に示すように、平面的に見て、レンズホルダ１６と対応する領域上に配置されている。位置決め孔２２ｃは、レンズホルダ取付部１３ｃに対する板ばね部材２２の位置決めを行うために設けられている。突出部２２ｄは、保持部材２１の棒状部２１ａおよび２１ｂと対応する領域上に配置されており、保持部材２１をレンズホルダ取付部１３ｃとの間で挟むように設けられている。
【００５７】
調整ねじ２３ａおよび２３ｂは、図５（図２の調整機構２０を背面側から見た図）に示すように、レンズホルダ取付部１３ｃのねじ取付孔１３４ｃに取り付けられている。また、レンズホルダ１６には、Ｚ方向に突出する突出部１６ｃが形成され、この突出部１６ｃは、レンズホルダ取付部１３ｃの開口部１３１ｃの内部に配置されている。そして、調整ねじ２３ａおよび２３ｂは、先端部が突出部１６ｃと当接しており、板ばね部材２２により下方（Ｙ方向）に付勢されるレンズホルダ１６を支持している。
【００５８】
調整ねじ２３ａは、Ｘ方向およびＹ方向に対して約４５度傾斜したＡ方向に移動可能に設けられるとともに、調整ねじ２３ｂは、Ｘ方向およびＹ方向に対して約４５度傾斜し、かつ、Ａ方向と実質的に直交するＢ方向に移動可能に設けられている。すなわち、調整ねじ２３ａは、レンズホルダ取付部１３ｃに対するレンズホルダ１６の位置をＡ方向において調整可能であり、調整ねじ２３ｂは、レンズホルダ取付部１３ｃに対するレンズホルダ１６の位置をＢ方向において調整可能である。したがって、調整ねじ２３ａおよび２３ｂは、締め具合により、レンズホルダ取付部１３ｃに対するレンズホルダ１６の位置をＸ方向およびＹ方向において調整可能に設けられている。また、調整ねじ２３ａおよび２３ｂは、レンズホルダ取付部１３ｃの下方側、すなわち板ばね部材２２と対向する側から締め具合を直接調整可能に設けられている。
【００５９】
取付ねじ２４は、板ばね部材２２のねじ挿入孔２２ｂを介して、突出部１３２ｃに形成されたねじ取付孔１３５ｃ（図３参照）に取り付けられている。これにより、板ばね部材２２がレンズホルダ取付部１３ｃの突出部１３２ｃ上に取り付けられている。
【００６０】
本実施形態では、上記のように、板ばね部材２２と、調整ねじ２３ａおよび２３ｂとを有する調整機構２０を設けることによって、前述の特許文献４のように、支持プレートとレンズホルダ取付部との間に配置する薄板材の数と、プレート取付ねじの締め具合とを調整することにより、レンズホルダの位置を調整する場合と異なり、調整ねじ２３ａおよび２３ｂの締め具合を調整することのみにより、板ばね部材２２の板ばね部２２ａによって付勢されたレンズホルダ１６の位置を調整することができる。これにより、コリメータレンズ５ｃに入射されるレーザ光の光軸に対して実質的に垂直な面内におけるレンズホルダ１６の位置を調整する作業が複雑になるのを抑制することができる。その結果、光ピックアップ装置１００では、ＢＤ用の光学系５において、コマ収差が発生するのを容易に抑制することができる。
【００６１】
また、本実施形態では、半導体レーザ１の位置を調整することにより、コリメータレンズ４ｃに入射されるレーザ光の光軸の位置を調整することによって、ＢＤ用の光学系５とは異なるＨＤ−ＤＶＤ用の光学系４を構成するコリメータレンズ４ｃにおいても、コリメータレンズ４ｃに入射されるレーザ光の光軸に対するコリメータレンズ４ｃの位置を調整することができる。これにより、ＨＤ−ＤＶＤ用の光学系４においても、コマ収差が発生するのを抑制することができる。
【００６２】
また、本実施形態では、レンズホルダ１６をＹ方向に移動可能に保持するとともに、レンズホルダ１６を保持した状態でＸ方向に移動可能な保持部材２１を設けることによって、保持部材２１を用いてレンズホルダ１６をＸ方向およびＹ方向に移動させることにより、容易に、レンズホルダ１６を、コリメータレンズ５ｃに入射されるレーザ光の光軸に対して実質的に垂直な面内において移動させることができる。
【００６３】
また、本実施形態では、板ばね部材２２に突出部２２ｄを形成することによって、突出部２２ｄにより、保持部材２１をレンズホルダ取付部１３ｃとの間で挟むことができるので、保持部材２１をレンズホルダ取付部１３ｃに取り付けるための取付部材を別途設ける場合に比べて、部品点数が増加するのを抑制することができる。
【００６４】
また、本実施形態では、レンズホルダ取付部１３ｃに位置決め突起１３３ｃを形成するとともに、板ばね部材２２に位置決め孔２２ｃを形成することによって、位置決め孔２２ｃに位置決め突起１３３ｃを挿入することにより、レンズホルダ取付部１３ｃに対する板ばね部材２２の位置決めを行うことができるので、取付ねじ２４により板ばね部材２２をレンズホルダ取付部１３ｃに取り付ける際に、板ばね部材２２が取付ねじ２４の回転に伴って回動するのを抑制することができる。したがって、板ばね部材２２をレンズホルダ取付部１３ｃに容易に取り付けることができる。
【００６５】
また、本実施形態では、レンズホルダ取付部１３ｃの下方側から締め具合を直接調整可能に調整ねじ２３ａおよび２３ｂを設けることによって、調整ねじ２３ａおよび２３ｂの締め具合を調整するための機構部品を別途設ける必要がないので、その分、部品点数が増加するのを抑制することができる。
【００６６】
本発明は、上述した以外にも種々の実施形態を採用することができる。例えば、上記実施形態では、ＨＤ−ＤＶＤおよびＢＤに対して、書き込みおよび読み出し可能な光ピックアップ装置１００を示したが、ＣＤおよびＤＶＤに対して、書き込みおよび読み出し可能な光ピックアップ装置に本発明を適用してもよい。
【００６７】
また、上記実施形態では、レンズホルダ１３を、ガイドレール１４ａおよび１４ｂ上に載置するとともに、ガイドシャフト１５により支持する例を示したが、ガイドレール１４ａおよび１４ｂの代わりにガイドシャフト１５と平行に延びるサブガイドシャフトを設けるとともに、レンズホルダ１３にサブガイドシャフトが配置される溝部を形成することにより、ガイドシャフト１５およびサブガイドシャフトによりレンズホルダ１３を支持するようにしてもよい。
【００６８】
また、上記実施形態では、ＢＤ用の光学系５のコリメータレンズ５ｃの位置を調整する調整機構２０を設けるとともに、ＨＤ−ＤＶＤ用の光学系４のコリメータレンズ４ｃをレンズホルダ１３に取り付ける例を示したが、ＨＤ−ＤＶＤ用の光学系のコリメータレンズの位置を調整する調整機構を設けるとともに、ＢＤ用の光学系のコリメータレンズをレンズホルダに取り付けてもよい。
【００６９】
また、上記実施形態では、コリメータレンズ５ｃを保持するレンズホルダ１６を示したが、コリメータレンズ以外のレンズを保持するレンズホルダに本発明を適用してもよい。
【００７０】
また、上記実施形態において、半導体レーザ１の位置を調整することにより、コリメータレンズ４ｃに入射されるレーザ光の光軸の位置を調整する場合、上記調整機構２０と同様の構成の調整機構に半導体レーザ１を設け、半導体レーザ１の位置を調整してもよい。
【図面の簡単な説明】
【００７１】
【図１】本発明の一実施形態による光ピックアップ装置の構成を示した概略図である。
【図２】本発明の一実施形態による光ピックアップ装置のレンズホルダ駆動部の構造を示した斜視図である。
【図３】図２に示したレンズホルダ駆動部の調整機構の分解斜視図である。
【図４】図２に示したレンズホルダ駆動部の調整機構の平面図である。
【図５】図２に示したレンズホルダ駆動部の調整機構の背面側を示した斜視図である。
【符号の説明】
【００７２】
１        半導体レーザ（光源）
４        光学系（第２の光学系）
４ｃ      コリメータレンズ（第２レンズ）
５        光学系（第１の光学系）
５ｃ      コリメータレンズ（第１レンズ）
１３      レンズホルダ（第２レンズ保持部材）
１６      レンズホルダ（第１レンズ保持部材）
２０      調整機構
２１      保持部材
２２      板ばね部材（付勢部材）
２２ｃ    位置決め孔（位置決め部）
２２ｄ    突出部（取付部）
２３ａ、２３ｂ  調整ねじ
１００    光ピックアップ装置
【図１】
2009116988.tif 000003
【図２】
2009116988.tif 000004
【図３】
2009116988.tif 000005
【図４】
2009116988.tif 000006
【図５】
2009116988.tif 000007